(57)【特許請求の範囲】
【請求項１】
ナンバーディスプレイ機能付き通信装置を接続した通信端末装置であって、
交換機から送出されてくるナンバーディスプレイサービスの起動信号を検出してから、所定時間内に、上記通信装置による応答信号を検出しないときには、上記通信装置の異常を報知する構成としており、上記通信装置の異常を報知したときには、次の着呼からは、ナンバーディスプレイサービスの起動信号に対して、通信端末装置自身が応答信号を送出するように設定することを特徴とする通信端末装置。
【請求項２】
上記通信装置の異常の報知には、次の着呼からは、ナンバーディスプレイサービスの起動信号に対して、通信端末装置自身が応答信号を送出するように設定した旨の報知を含んでいることを特徴とする、請求項１に記載の通信端末装置。
【発明の詳細な説明】
【０００１】
【発明の属する技術分野】
本発明は、ナンバーディスプレイ機能付きの電話機などを接続したファクシミリ装置などの通信端末装置に関する。
【０００２】
【従来の技術】
従来から、通信前情報通知サービスの１つとして、ナンバーディスプレイサービスが運用されており、このサービスを利用すれば、電話機などにおいて、呼出に対する応答前に、発信元の電話番号などが表示できるようになっている。
【０００３】
図４は、ナンバーディスプレイサービスの基本動作を示す図である。図中の▲１▼〜▲９▼は、各動作に対して割り付けた番号であり、「情報受信端末」とは、このサービスが利用できる電話機やファクシミリ装置などの通信端末装置を指すものである。
【０００４】
加入者線交換機は、他の通信端末装置から、予めサービス契約がされた情報受信端末に対する呼出があったときに、受信端末側の加入者線Ｌ１，Ｌ２の極性を反転し（▲１▼）、情報受信端末起動信号（▲２▼）を送出する。これに対して受信端末側は、発信元電話番号等情報の受信が可能な状態になると、端末内の直流回路を閉じて（直流ループ閉結）、一次応答信号（▲３▼）とする。交換機側は、極性反転（▲１▼）から時間ｔ内に、直流抵抗値を基にして一次応答信号（▲３▼）を検出すれば、受信端末側に発信元電話番号等情報（▲４▼）をモデム信号で送出する。受信端末側では、モデム信号（▲４▼）を受信すると、直流回路を開いて（直流ループ開放）、受信完了信号（▲５▼）とし、交換機側は受信完了信号（▲５▼）を検出すると、呼出信号（▲６▼）を送出する。
【０００５】
情報受信端末は、呼出信号（▲６▼）を検出すると、呼出音を出力して応答を促すが、予め発信元の情報（▲４▼）を受信し、ディスプレイ表示して、相手の電話番号等を確認しているので、その相手に応じた対応をとることができる。例えば、呼出をそのまま放置したり、留守番電話に切り替えたりすることができる。
【０００６】
情報受信端末において、呼出信号に対してハンドセットの取り上げなどで応答すれば、再度、直流回路を閉じて（直流ループ閉結）、二次応答信号（▲７▼）とし、その後、極性が復極されて（▲８▼）、通話（▲９▼）が可能になる。
【０００７】
ナンバーディスプレイ機能を備えた電話機を、通信端末装置であるファクシミリ装置に接続するときには、電話機側の設定を、ナンバーディスプレイ機能を実行する設定とし、ファクシミリ装置側の設定を、接続した電話機においてナンバーディスプレイ機能を実行し、ファクシミリ装置自身ではナンバーディスプレイ機能を実行しない設定とする。そうすれば、ファクシミリ装置がナンバーディスプレイの信号を認識できないためにファクシミリ受信動作を開始したり、電話機とファクシミリ装置の双方で、ナンバーディスプレイサービスの回線制御を重複して実行してしまうといった問題が生じない。
【０００８】
【発明が解決しようとする課題】
ところが、上記従来の通信端末装置では、電話機側でナンバーディスプレイ機能を実行する旨の設定がされていないために、電話機において発信元情報が表示されず、そのまま放置される場合があった。すなわち、交換機は、極性反転（図４の▲１▼）から所定時間（図４の時間ｔ）内に、一次応答（図４の▲３▼）を検出しなければ、発信元情報等を送出せずに、呼出信号（図４の▲６▼）を送出するので、電話機側では呼出信号に応答すれば通話は可能になり、そのために発信元情報が表示されないことの原因が判らないままであることがあった。
【０００９】
また、ファクシミリ装置側でナンバーディスプレイサービスの回線制御を代行する場合も、電話機側では発信元情報が表示されないまま、放置される場合があった。
【００１０】
本発明は、このような事情を考慮してなされたものであり、接続された通信装置でナンバーディスプレイサービスの設定がされていないことが判る通信端末装置を提供することを目的としている。
【００１１】
【課題を解決するための手段】
上記目的を達成するために、本発明のナンバーディスプレイ機能付き通信装置を接続した通信端末装置は、請求項１では、交換機から送出されてくるナンバーディスプレイサービスの起動信号を検出してから、所定時間内に、通信装置による応答信号を検出しないときには、通信装置の異常を報知する。
【００１２】
ここに、ナンバーディスプレイ機能付き通信装置には、ナンバーディスプレイ対応の電話機などが適用でき、通信端末装置には、ファクシミリ装置や、通信機能を備えたパーソナルコンピュータなどが適用できる。なお、この通信端末装置を使用するときは、予め、ナンバーディスプレイサービスの契約を結んでおく必要がある。
【００１３】
また、ナンバーディスプレイサービスの起動信号とは情報受信端末起動信号（図４の▲２▼参照）を指し、応答信号とは一次応答信号（図４の▲３▼参照）を指す。この通信端末装置では、起動信号を検出すると、接続した通信装置側での応答の有無を監視している。
【００１４】
さらに、通信装置の異常を報知したときには、次の着呼からは、ナンバーディスプレイサービスの起動信号に対して、通信端末装置自身が応答信号を送出するように設定する。
【００１５】
請求項２では、請求項１において、通信装置の異常の報知には、次の着呼からは、ナンバーディスプレイサービスの起動信号に対して、通信端末装置自身が応答信号を送出するように設定した旨の報知を含んでいる。
【００１６】
【発明の実施の形態】
以下に、本発明の実施の形態について、図面とともに説明する。図１は、通信端末装置の構成の一例を示したブロック図である。ここには、通信端末装置としてファクシミリ装置Ｆの構成を示しているが、本発明はこれには限定されず、通信機能を備えたパーソナルコンピュータなどであってもよい。
【００１７】
このファクシミリ装置Ｆは、ナンバーディスプレイ機能付きの電話機Ｔを通信装置として外付け接続しているが、この通信装置も電話機Ｔに限定されることはなく、発信元情報を検出するナンバーディスプレイ機能を備えた装置、例えば、通信機能を備えたパーソナルコンピュータなどであってもよい。なお、このナンバーディスプレイ機能は、電話機Ｔ側に内蔵することには限定されず、電話回線Ｌに対する電話機Ｔの前段にアダプタとして外付けするようにしてもよい。
【００１８】
図において、１はＣＰＵ等で構成され、以下の各部を制御する主制御部、２は電話回線Ｌの極性の反転を検出する極性反転検出部、３は交換機から電話回線Ｌを通じて送出されて来る呼出信号を検出するとともに、ナンバーディスプレイサービスの情報受信端末起動信号（以下、単に「起動信号」という）を検出する信号検出部、４は接続端子に接続された電話機Ｔのオフフック（回線閉結）とオンフック（回線開放）を検出するオフフック検出部、５は電話回線Ｌを閉結／開放するＣＭＬリレー、６はトランス、７はファクシミリ通信を行うために信号の変調と復調を行うモデムである。
【００１９】
また、８は液晶ディスプレイやＬＥＤランプなどで構成された表示部、９は各種キーなどで構成された操作部、１０はセットされた原稿から画像データを読み取る読取部、１１はファクシミリ受信した画像や、読取部１０から読み取った画像を、予めセットされた記録紙に印字出力する記録部、１２は符号化した画像データを蓄積する画像メモリ、１３はこの装置Ｆの制御に必要な各種データを記憶するためのＲＡＭ、１４は制御プログラムなどを予め記憶したＲＯＭである。
【００２０】
また、ファクシミリ装置Ｆでは、直列接続された抵抗ＲとコンデンサＣが、ＣＭＬリレー５と並列に接続されており、ＣＭＬリレー５を閉じて回線Ｌを閉結しなくても、モデム７において、交流信号が検出できるようになっている。
【００２１】
このファクシミリ装置Ｆは、読取部１０で読み取った原稿の画像を、符号化した後、一旦画像メモリ１２に蓄積し、順次読み出して、モデム７によって変調して電話回線Ｌに対して送信するとともに、他の通信端末装置から電話回線Ｌを通じて、ファクシミリ受信した画像データを、順次、画像メモリ１２に蓄積し、読み出しながら復号して、記録部１１によって記録する基本動作を行っている。
【００２２】
信号検出部３は、上記したように、交換機から送出されて来る呼出信号（図４の▲６▼）や、ナンバーディスプレイサービスの起動信号（図４の▲２▼）を検出する。呼出信号は１秒のオン期間と２秒のオフ期間を繰り返す信号であり、起動信号は０．５秒のオン期間と０．５秒のオフ期間を繰り返す信号であるので、信号検出部３では、このオン期間とオフ期間の時間長の違いによって、両者を判別している。また、予め、操作部９により、ナンバーディスプレイ機能付きの電話機Ｔを接続していることを設定し、信号検出部３は待機状態から最初に検出した信号を起動信号であると判断してもよい。
【００２３】
主制御部１は、信号検出部３が起動信号を検出したときには、その起動信号を検出してから、所定時間内に、電話機Ｔによる応答信号を検出しないときには、電話機Ｔ側の異常を報知する。すなわち、主制御部１は、極性反転検出部２が極性反転（図４の▲１▼）を検出した後、信号検出部３が起動信号（図４の▲２▼）を検出すると、電話機Ｔによる一次応答信号（図４の▲３▼）の送出を監視する。起動信号の検出、又は極性の反転から、所定時間内に、直流ループの閉結をオフフック検出部４によって検出しなければ、電話機Ｔ側でナンバーディスプレイ機能の設定がされていないとして、異常を報知する。
【００２４】
この異常の報知は、表示部８によるメッセージ表示やランプの点灯又は点滅、記録部１１によるメッセージの印字出力によって行われる。また、アラーム音の出力や音声メッセージの出力などによって報知するようにしてもよい。
【００２５】
このように動作することによって、ユーザは、電話機Ｔにおいてナンバーディスプレイ機能の設定がされていないことが判るので、ナンバーディスプレイ機能の設定をすれば、以降、電話機Ｔ側で発信元表示などを行うことができるようになる。
【００２６】
なお、主制御部１によって一次応答を監視する所定時間は、交換機側が一次応答が送出されてこないと判断して呼出信号の送出に移行する時間（例えば、極性反転から６秒間）であってもよいし、それよりも短い時間（例えば、極性反転から５．５秒間）として、ファクシミリ装置Ｆ側で一次応答を代行するようにしてもよい。
【００２７】
また、電話機Ｔ側で一次応答をせずに、電話機Ｔの異常を報知したときには、次の着呼からは、ナンバーディスプレイサービスの起動信号に対して、ファクシミリ装置Ｆ自身が一次応答信号を送出するように設定することができる。この設定をすれば、次の着呼からは、起動信号を検出すると、ＣＭＬリレー５を閉じて一次応答とし、電話回線Ｌを通じて送出されて来る発信元情報（図４の▲４▼）を、抵抗ＲとコンデンサＣを介して、モデム７によって受信し、その発信元情報を表示部８に表示する。そして、ＣＭＬリレー５を開くことによって受信完了信号（図４の▲５▼）とし、呼出信号（図４の▲６▼）を信号検出部３で検出できる状態にする。呼出信号を検出し、これに応答すれば、ファクシミリ受信や、電話機Ｔによる通話などに移行する。
【００２８】
このように、ファクシミリ装置Ｆ側でナンバーディスプレイ機能を自動設定すれば、電話機Ｔ側でナンバーディスプレイ機能の設定操作をする必要がなく、以降、ファクシミリ装置Ｆ側で発信元情報などを確認できるようになる。
【００２９】
また、上記のように、ファクシミリ装置Ｆ側でナンバーディスプレイ機能を自動設定したときには、電話機Ｔの異常の報知に、次の着呼からは、ナンバーディスプレイサービスの起動信号に対して、ファクシミリ装置Ｆ自身が一次応答信号を送出するように設定した旨の報知を含むことができる。そうすれば、ナンバーディスプレイ機能を、ファクシミリ装置Ｆでは解除して元の状態に戻し、電話機Ｔ側で設定するといったことができる。
【００３０】
図２には、上記ファクシミリ装置Ｆの動作をフローチャート（１００〜１１４）で示している。交換機から送出されてくる信号（ＣＩ）を検出し（１００）、その信号が呼出信号（ＩＲ）であれば（１０１のＮ、１１４のＹ）、着信処理に移行する。
【００３１】
一方、検出した信号がナンバーディスプレイサービスの起動信号（ＣＡＲ）であれば（１０１のＹ）、電話機Ｔによる一次応答を監視する。一次応答を検出し（１０２のＹ）、発信元情報を受信したときには（１０３）、ファクシミリ装置Ｆの表示部８においても発信元情報等を表示することができる。その後、所定時間（例えば３秒）の間に呼出信号（ＩＲ）を検出すれば着信する（１０４，１０５）。
【００３２】
また、起動信号を検出後、一次応答を所定時間（例えば５．５秒）内に検出しなければ（１０２のＮ，１０６のＹ，１０７のＹ）、ファクシミリ装置Ｆ自身で一次応答をし（１０８）、発信元情報を受信し（１０９）、受信完了応答を行う（１１０）。そして、電話機Ｔ側の異常を報知し（１１１）、電話機Ｔのナンバーディスプレイ機能を解除し（１１２）、次の着信以降もファクシミリ装置Ｆでナンバーディスプレイ機能を実行することを設定する（１１３）。
【００３３】
ここでは、交換機からの起動信号の送出が停止したときも（１０６のＮ）、一次応答などは行わずに、電話機Ｔ側の異常を報知し（１１１）、電話機Ｔのナンバーディスプレイ機能を解除し（１１２）、次の着信からファクシミリ装置Ｆでナンバーディスプレイ機能を実行することを設定する（１１３）。なお、今回の着呼ではファクシミリ装置Ｆにおいて一次応答を行わないときは、ステップ１０８〜１１０は省略される。このように、電話機Ｔ側の一次応答を検出しない場合でも、その後、所定時間（例えば３秒）の間に呼出信号を検出すれば着信する（１０４，１０５）。
【００３４】
図３には、ファクシミリ装置Ｆにおける電話機Ｔの異常の報知（図２のステップ１１１を参照）の例を示している。図３（ａ）は表示部８における表示画面８ａの例であり、その表示メッセージによって、電話機Ｔでのナンバーディスプレイ機能の設定をユーザに促している。図３（ｂ）は記録部１１によって記録された記録紙１１ａの例であり、その印字メッセージによって、ナンバーディスプレイ機能をファクシミリ装置Ｆ側で設定したことを知らせている。
【００３５】
【発明の効果】
以上の説明からも理解できるように、本発明の請求項１又は２の各々に記載の通信端末装置は、ナンバーディスプレイサービスの起動信号を検出してから、所定時間内に、接続した通信装置による応答信号を検出しないときには、通信装置の異常を報知するので、ユーザは、通信装置においてナンバーディスプレイ機能の設定がされていないことが判る。通信装置側ではナンバーディスプレイ機能の設定をすれば、以降、発信元情報の表示などを行うことができる。
【００３６】
特に、請求項１では、通信装置の異常を報知したときには、次の着呼からは、ナンバーディスプレイサービスの起動信号に対して、通信端末装置自身が応答信号を送出するように設定する。このように、通信端末装置側でナンバーディスプレイ機能を自動設定すれば、接続した通信装置側でのナンバーディスプレイ機能の設定操作が必要でなく、以降、通信端末装置側で発信元情報などを確認することができる。
【００３７】
また、請求項２では、通信装置の異常の報知には、次の着呼からは、ナンバーディスプレイサービスの起動信号に対して、通信端末装置自身が応答信号を送出するように設定した旨の報知を含んでいるので、ナンバーディスプレイ機能を、通信端末装置では解除して元の状態に戻し、接続した通信装置側で設定するといったことができる。
【図面の簡単な説明】
【図１】本発明の通信端末装置の構成の一例を示すブロック図である。
【図２】本発明の通信端末装置の動作の一例を示すフローチャートである。
【図３】通信装置の異常の報知の例を示す図である。
【図４】ナンバーディスプレイサービスの基本動作を示す図である。
【符号の説明】
Ｆ    ファクシミリ装置
１    主制御部
３    信号検出部
４    オフフック検出部
７    モデム
８    表示部
１１  記録部
Ｔ    ナンバーディスプレイ機能付き電話機
【図１】
0003601400.tif 000002
【図２】
0003601400.tif 000003
【図３】
0003601400.tif 000004
【図４】
0003601400.tif 000005